(57)【要約】【課題】防水性を確保しつつ、小型化が可能な生体情報検出装置を提供する。【解決手段】生体情報検出装置は、生体表面に接触する検出電極５０ａを有する生体信号検出部５０と、生体信号検出部５０により検出された生体信号が入力される回路基板４０と、回路基板４０を収容するケース２０と、を備える。ケース２０は、内外を連通するケース貫通孔２９を有する。回路基板４０は、内周面に接続電極４１ａが形成された基板貫通孔４１を有する。生体信号検出部５０は、導電性を有する弾性材料により形成され、検出電極５０ａと電気的に接続された筒状の接続部５１を有する。そして、接続部５１は、ケース貫通孔２９を通じて基板貫通孔４１に挿通されるとともに、接続部５１の筒状内部にピン部材６１が挿入され、接続部５１の外周面は、ケース貫通孔２９の内周面の全周に亘って接触するとともに、基板貫通孔４１の内周面に接触する。【選択図】図３
2016007447.tif 000002
【特許請求の範囲】
【請求項１】
生体表面に接触する検出電極を有する生体信号検出部と、
前記生体信号検出部により検出された生体信号が入力される回路基板と、
前記回路基板を収容するケースと、を備え、
前記ケースは、内外を連通するケース貫通孔を有し、
前記回路基板は、内周面に接続電極が形成された基板貫通孔を有し、
前記生体信号検出部は、導電性を有する弾性材料により形成され、前記検出電極と電気的に接続された筒状の接続部を有し、
前記接続部は、前記ケース貫通孔を通じて前記基板貫通孔に挿通されるとともに、前記接続部の筒状内部にピン部材が挿入され、
前記接続部の外周面は、前記ケース貫通孔の内周面の全周に亘って接触するとともに、前記基板貫通孔の前記内周面に接触する、
ことを特徴とする生体情報検出装置。
【請求項２】
請求項１に記載の生体情報検出装置において、
前記接続部は、前記生体信号検出部と一体形成されている、
ことを特徴とする生体情報検出装置。
【請求項３】
請求項１または２に記載の生体情報検出装置において、
前記ケース貫通孔は、前記生体信号検出部側の端部が拡径形成され、
前記ピン部材は、先端に大径部を有する、
ことを特徴とする生体情報検出装置。
【請求項４】
請求項３に記載の生体情報検出装置において、
前記大径部には、前記ピン部材の径方向に沿うようにスリットが形成されている、
ことを特徴とする生体情報検出装置。
【請求項５】
請求項３に記載の生体情報検出装置において、
前記大径部は、中空である、
ことを特徴とする生体情報検出装置。
【請求項６】
生体表面に接触する検出電極を有する生体信号検出部と、前記生体信号検出部により検出された生体信号が入力される回路基板と、前記回路基板を収容するケースと、を備える生体情報検出装置の製造方法において、
前記ケースは、内外を連通するケース貫通孔を有し、
前記回路基板は、内周面に接続電極が形成された基板貫通孔を有し、
前記生体信号検出部は、導電性を有する弾性材料により形成され、前記検出電極と電気的に接続された筒状の接続部を有し、
前記接続部の筒状内部に、ピン状治具を挿入する工程と、
前記ピン状治具が挿入された前記接続部を、前記ケース貫通孔を通じて前記基板貫通孔に挿通する工程と、
前記ピン状治具を、前記接続部から抜き取る工程と、
前記接続部の筒状内部にピン部材を挿入し、前記接続部の外周面を前記ケース貫通孔の内周面の全周に亘って接触させるとともに、前記基板貫通孔の前記内周面に接触させる工程と、
を備えることを特徴とする生体情報検出装置の製造方法。
【発明の詳細な説明】
【技術分野】
【０００１】
本発明は、生体情報検出装置および生体情報検出装置の製造方法に関するものである。
【背景技術】
【０００２】
生体情報検出装置として、身体に装着して生体表面に接触させ、生体信号を検出する生体情報検出装置が存在する。この種の生体情報検出装置の中には、例えば、心臓の鼓動に伴って発生する心電信号を電極によって検出し、生体表面から心拍数を計測するものがある。このような生体情報検出装置は、洗浄時の水分や汗が装置内部に侵入して不具合が生じることを防ぐために、防水性を高める構造が適用されている。
【０００３】
例えば、特許文献１には、生体表面に接触する電極（請求項の検出電極に相当。）を有する生体信号検出部と、装置本体に対して着脱自在に設けられ、これら装置本体、および生体信号検出部を身体に装着するための固定手段とを備え、装置本体と、生体信号検出部の電極とを電気的に接続する電気的接続部の周囲に、この電気的接続部のシール性を確保するためのシール部を設けた生体情報検出装置が開示されている。装置本体の内部の検出回路基板（請求項の回路基板に相当。）と生体信号検出部とは、検出回路基板と生体信号検出部との間に配置される導通部材を介して、互いに電気的に接続されている。
特許文献１に記載の生体情報検出装置によれば、良好なメンテナンス性を確保しつつ、検出不良の発生を防止できる生体情報検出装置を提供できるとされている。
【先行技術文献】
【特許文献】
【０００４】
【特許文献１】特開２０１３−９９４１５号公報
【発明の概要】
【発明が解決しようとする課題】
【０００５】
しかしながら、上述の従来技術では、導通部材の両端部に回路基板と生体信号検出部とが当接した状態で配置されているため、生体情報検出装置の本体部が厚くなる傾向にある。したがって、従来技術の生体情報検出装置にあっては、防水性を確保しつつ小型化するという点で改善の余地がある。
【０００６】
そこで本発明は、防水性を確保しつつ、小型化が可能な生体情報検出装置および生体情報検出装置の製造方法を提供するものである。
【課題を解決するための手段】
【０００７】
本発明の生体情報検出装置は、生体表面に接触する検出電極を有する生体信号検出部と、前記生体信号検出部により検出された生体信号が入力される回路基板と、前記回路基板を収容するケースと、を備え、前記ケースは、内外を連通するケース貫通孔を有し、前記回路基板は、内周面に接続電極が形成された基板貫通孔を有し、前記生体信号検出部は、導電性を有する弾性材料により形成され、前記検出電極と電気的に接続された筒状の接続部を有し、前記接続部は、前記ケース貫通孔を通じて前記基板貫通孔に挿通されるとともに、前記接続部の筒状内部にピン部材が挿入され、前記接続部の外周面は、前記ケース貫通孔の内周面の全周に亘って接触するとともに、前記基板貫通孔の前記内周面に接触する、ことを特徴とする。
【０００８】
本発明によれば、接続部は、接続部の筒状内部に挿入されたピン部材により、径方向の外側に広がるように弾性変形する。これにより、接続部の外周面は、ケース貫通孔の内周面に対して圧接されて、ケース貫通孔と密着するため、ケース内部に対する防水性が確保される。また、接続部の外周面は、基板貫通孔の内周面に対して圧接されて、基板貫通孔の内周面に形成された接続電極と電気的に接続される。このため、生体情報検出装置は、接続部が回路基板に挿通された状態で、接続部を介して回路基板と生体信号検出部の検出電極とを電気的に接続することができる。したがって、防水性を確保しつつ、小型化が可能な生体情報検出装置を得ることができる。
【０００９】
上記の生体情報検出装置において、前記接続部は、前記生体信号検出部と一体形成されている、ことが望ましい。
本発明によれば、生体信号検出部と接続部とが一体形成されることで、生体信号検出部と接続部との電気的接続はより確実になる。そのため、生体信号検出部と回路基板との電気的接続がより確実になる。さらに、生体信号検出部と接続部とが一体形成されることで、部品点数が削減される。したがって、信頼性が高く、低コストで製造可能な生体情報検出装置を得ることができる。
【００１０】
上記の生体情報検出装置において、前記ケース貫通孔は、前記生体信号検出部側の端部が拡径形成され、前記ピン部材は、先端に大径部を有する、ことが望ましい。
本発明によれば、ピン部材の大径部が接続部を介してケース貫通孔の拡径形成された部分に係止されるため、ピン部材が接続部の筒状内部から抜けることを防止できる。したがって、信頼性の高い生体情報検出装置を得ることができる。
【００１１】
上記の生体情報検出装置において、前記大径部には、前記ピン部材の径方向に沿うようにスリットが形成されている、ことが望ましい。
本発明によれば、ピン部材の接続部への挿入時において、大径部がスリットにより縮径方向に弾性変形するため、ピン部材の挿入が容易になる。したがって、組み立て作業性に優れ、かつ信頼性の高い生体情報検出装置を得ることができる。
【００１２】
上記の生体情報検出装置において、前記大径部は、中空である、ことが望ましい。
本発明によれば、大径部が中空状に形成されているため、ピン部材の接続部への挿入時において、大径部が縮径方向に弾性変形し、ピン部材の挿入が容易になる。したがって、組み立て作業性に優れ、かつ信頼性の高い生体情報検出装置を得ることができる。
【００１３】
本発明の生体情報検出装置の製造方法は、生体表面に接触する検出電極を有する生体信号検出部と、前記生体信号検出部により検出された生体信号が入力される回路基板と、前記回路基板を収容するケースと、を備える生体情報検出装置の製造方法において、前記ケースは、内外を連通するケース貫通孔を有し、前記回路基板は、内周面に接続電極が形成された基板貫通孔を有し、前記生体信号検出部は、導電性を有する弾性材料により形成され、前記検出電極と電気的に接続された筒状の接続部を有し、前記接続部の筒状内部に、ピン状治具を挿入する工程と、前記ピン状治具が挿入された前記接続部を、前記ケース貫通孔を通じて前記基板貫通孔に挿通する工程と、前記ピン状治具を、前記接続部から抜き取る工程と、前記接続部の筒状内部にピン部材を挿入し、前記接続部の外周面を前記ケース貫通孔の内周面の全周に亘って接触させるとともに、前記基板貫通孔の前記内周面に接触させる工程と、を備えることを特徴とする。
【００１４】
生体信号検出部が有する接続部は、弾性材料により形成されているため、ケース貫通孔を通じて基板貫通孔に挿通する際に、倒れ込みが発生しやすい。本発明によれば、接続部の筒状内部に予めピン状治具を挿入した状態で、ケース貫通孔を通じて基板貫通孔に挿通するため、接続部の倒れ込みを抑制できる。したがって、接続部がケース貫通孔を通じて基板貫通孔に挿通された生体情報検出装置を簡単に製造することができる。
【発明の効果】
【００１５】
本発明の生体情報検出装置によれば、接続部は、接続部の筒状内部に挿入されたピン部材により、径方向の外側に広がるように弾性変形する。これにより、接続部の外周面は、ケース貫通孔の内周面に対して圧接されて、ケース貫通孔と密着するため、ケース内部に対する防水性が確保される。また、接続部の外周面は、基板貫通孔の内周面に対して圧接されて、基板貫通孔の内周面に形成された接続電極と電気的に接続される。このため、生体情報検出装置は、ピン部材が回路基板に挿通された状態で、ピン部材を介して回路基板と生体信号検出部の検出電極とを電気的に接続することができる。したがって、防水性を確保しつつ、小型化が可能な生体情報検出装置を得ることができる。
【００１６】
本発明の生体情報検出装置の製造方法によれば、接続部の筒状内部に予めピン状治具を挿入した状態で、ケース貫通孔を通じて基板貫通孔に挿通するため、接続部の倒れ込みを抑制できる。したがって、接続部がケース貫通孔を通じて基板貫通孔に挿通された生体情報検出装置を簡単に製造することができる。
【図面の簡単な説明】
【００１７】
【図１】第１実施形態に係る生体情報検出装置を、使用者Ｕが装着した状態を示す説明図である。
【図２】第１実施形態に係る生体情報検出装置の装置本体の平面図である。
【図３】図２のＩＩＩ−ＩＩＩ線における断面図である。
【図４】第１実施形態に係る生体情報検出装置の裏ケースの平面図である。
【図５】第１実施形態に係る生体情報検出装置の製造方法を説明する工程図であって、図２のＩＩＩ−ＩＩＩ線に相当する部分における断面図である。
【図６】第１実施形態に係る生体情報検出装置の製造方法を説明する工程図であって、図２のＩＩＩ−ＩＩＩ線に相当する部分における断面図である。
【図７】第１実施形態に係る生体情報検出装置の製造方法を説明する工程図であって、図２のＩＩＩ−ＩＩＩ線に相当する部分における断面図である。
【図８】第１実施形態に係る生体情報検出装置の製造方法を説明する工程図であって、図２のＩＩＩ−ＩＩＩ線に相当する部分における断面図である。
【図９】第１実施形態に係る生体情報検出装置の製造方法を説明する工程図であって、図２のＩＩＩ−ＩＩＩ線に相当する部分における断面図である。
【図１０】第１実施形態の第１変形例に係る生体情報検出装置の装置本体の説明図であって、図２のＩＩＩ−ＩＩＩ線に相当する部分における断面図である。
【図１１】第２実施形態に係る生体情報検出装置の装置本体の説明図であって、図２のＩＩＩ−ＩＩＩ線に相当する部分における断面図である。
【図１２】第２実施形態に係る生体情報検出装置のピン部材の側面図である。
【図１３】第２実施形態に係る生体情報検出装置の他のピン部材の側面図である。
【発明を実施するための形態】
【００１８】
以下、本発明の実施形態を図面に基づいて説明する。なお、以下の説明では、生体情報検出装置として心拍計測装置を例に挙げる。
【００１９】
（第１実施形態、生体情報検出装置）
最初に、第１実施形態に係る生体情報検出装置について説明する。
図１は、第１実施形態に係る生体情報検出装置を、使用者Ｕが装着した状態を示す説明図である。
図１に示すように、生体情報検出装置１は、使用者Ｕの身体の表面である胸部に装着され、心臓の鼓動に伴って発生する心電信号を検出するものである。生体情報検出装置１は、胸部の周方向に長く形成され心拍を計測する装置本体２と、装置本体２の長手方向両端部に連結され装置本体２を生体表面に装着する固定ベルト３と、を備えている。なお、以下では、使用者Ｕが生体情報検出装置１を装着した状態で使用者Ｕに接する側を裏側とし、その反対側であって使用者Ｕから離間する方向を表側として説明する。また、装置本体２の長手方向に沿う方向を単に長手方向と称し、装置本体２の短手方向に沿う方向を単に短手方向と称する。
【００２０】
図２は、第１実施形態に係る生体情報検出装置１の装置本体２の平面図である。図３は、図２のＩＩＩ−ＩＩＩ線における断面図である。
図２および図３に示すように、装置本体２は、中央に配置されるケース２０と、ケース２０の内部に収容される回路基板４０と、ケース２０の長手方向両端部から長手方向に延出する一対の生体信号検出部５０と、を備える。なお、以下の図面では固定ベルト３を図示しないが、実際には装置本体２の長手方向両端部に図示しない手段によって取り付けられている。
【００２１】
（ケース）
ケース２０は、例えば樹脂材料等により平面視角丸長方形状に形成されている。ケース２０は、裏ケース２１と、裏ケース２１の表側に配置される表ケース３５と、を有する。
【００２２】
（裏ケース）
図４は、第１実施形態に係る生体情報検出装置の裏ケースの平面図である。
図３および図４に示すように、裏ケース２１は、底部２２と、底部２２の外周縁から表側に向かって立設された周壁部２３と、が一体的に形成されている。底部２２および周壁部２３により、後述する回路基板４０を収容する基板収容凹部２５が形成されている。
【００２３】
底部２２は、平面視略矩形状に形成されている。底部２２には、表側の中央部にボタン電池１１を収容する電池収容凹部２７が形成されている。電池収容凹部２７は、ボタン電池１１が配置されるとともにその位置決めを行う電池配置部２７ａと、プラス端子部材１３が配置される端子配置部２７ｂと、により構成されている。電池配置部２７ａは、平面視略円形状に形成され、内径がボタン電池１１の外径よりやや大きく設定されている。端子配置部２７ｂは、電池配置部２７ａの内周面の一部が径方向外方に向かって凹むことにより形成されている。端子配置部２７ｂには、ボタン電池１１の正極面（外周面）に接触して導通するプラス端子部材１３が配置されている。電池収容凹部２７の表側には、ボタン電池１１の負極面に接触して導通するマイナス端子部材１４が配置されている。プラス端子部材１３およびマイナス端子部材１４は、例えば金属板にプレス加工を施すことで形成される。
また、底部２２には、一対のケース貫通孔２９が形成されている。一対のケース貫通孔２９は、底部２２の外周辺のうち短辺に沿った領域の中央部にそれぞれ形成されている。ケース貫通孔２９は、その断面が略円形状で、底部２２をその厚さ方向（表裏方向）に一様に貫通している。
【００２４】
周壁部２３は、外形が平面視においてケース２０の外形形状をなしている。周壁部２３の内周部には、底部２２よりも一段高い段部２３ａが全周に亘って形成されている。
【００２５】
（表ケース）
図２および図３に示すように、表ケース３５は、平面視略矩形状の平板部３６と、平板部３６の外周から裏側に向かって立設された平面視略矩形環状の立壁部３７と、により構成されている。表ケース３５は、立壁部３７の裏側の端部が裏ケース２１の段部２３ａに当接するように、裏ケース２１の周壁部２３の内周に沿って嵌め込まれ、ケース２０の内部を密封している。
【００２６】
（回路基板）
回路基板４０は、心拍計測に必要な各種の電子部品が実装された基板であり、後述する生体信号検出部５０により検出された生体信号が入力される。回路基板４０は、平面視形状がケース２０の底部２２よりやや小さい略矩形状に形成されている。回路基板４０は、一対の基板貫通孔４１と、プリント回路（不図示）と、を有する。
【００２７】
一対の基板貫通孔４１は、回路基板４０の外周辺のうち短辺に沿った領域の中央部であって、回路基板４０を基板収容凹部２５に載置した状態でケース貫通孔２９と同軸となるようにそれぞれ形成されている。一対の基板貫通孔４１は、断面が略円形状で、内径がケース貫通孔２９の内径と略同一となっている。基板貫通孔４１の内周面には、接続電極４１ａが形成されている。
【００２８】
プリント回路は、回路基板４０の表面および裏面に形成されている。プリント回路は、心電信号に基づいて心拍数を計測する検出回路部に導通するとともに、基板貫通孔４１の内周面に形成された接続電極４１ａに接続している。また、プリント回路は、回路基板４０の裏面において、ケース２０の底部２２に配置されたプラス端子部材１３およびマイナス端子部材１４に導通している。これによりボタン電池１１から電力が供給されている。
【００２９】
上述した回路基板４０には、不図示のボルト挿通孔が形成されている。回路基板４０は、基板収容凹部２５に載置された状態で、ボルト挿通孔を通じて、ボルト等の締結部材（不図示）を裏ケース２１の雌ネジ部３１（図４参照）に螺入することで締結固定されている。
【００３０】
（生体信号検出部）
一対の生体信号検出部５０は、使用者Ｕの胸部表面（請求項の生体表面に相当。）に接触することにより電位差を心電信号として出力する検出電極５０ａとして機能する。一対の生体信号検出部５０は、それぞれ長手方向に沿うように帯状に形成されている。
生体信号検出部５０は、導電性を有する弾性材料により形成されている。具体的には、生体信号検出部５０は、カーボンブラックを配合した導電シリコンゴムや、カーボンブラックを配合した導電ゴム、カーボンブラックを配合した導電ポリウレタンゴム、といった導電性エラストマーが好適である。
【００３１】
生体信号検出部５０は、一端がケース２０に取り付けられている。各生体信号検出部５０の一端には、それぞれ短手方向に並んで一対の挿通孔５３が形成されている。一対の挿通孔５３は、生体信号検出部５０をケース２０に取り付けた状態において、裏ケース２１の裏面に形成された雌ネジ部３２に対応する位置に形成されている。
固定補強板１６は、例えば平面視矩形状に形成された板部材であって、例えば樹脂材料等により形成されている。固定補強板１６には、挿通孔５３に対応する位置にボルト挿通孔１７が形成されている。
生体信号検出部５０の一端は、裏ケース２１と固定補強板１６とにより挟持された状態で、ボルト挿通孔１７および挿通孔５３を通じて、ボルト等の締結部材（不図示）を雌ネジ部３２に螺入することで締結固定されている。
カバー１９は、固定補強板１６および裏ケース２１の底部２２を裏側から覆う部材である。カバー１９は、装置本体２の裏面の外観美観性を向上させている。
【００３２】
図３に示すように、生体信号検出部５０の表面には、ケース貫通孔２９に対応する位置に接続部５１が一体形成されている。接続部５１は、ケース貫通孔２９を通じて基板貫通孔４１に挿通されている。接続部５１は、表側が開口するように略有底円筒状に形成されている。接続部５１の外径は、ケース貫通孔２９の内径と略同一となっている。接続部５１の表側の先端面は、ケース貫通孔２９を通じて基板貫通孔４１に挿通した時、回路基板４０の表面と略面一となっている。
【００３３】
接続部５１の筒状内部には、ピン部材６１が挿入されている。ピン部材６１は、例えば樹脂材料や金属材料により形成されている。ピン部材６１は、略円柱状の軸部６１ａと、軸部６１ａの表側に形成された略円板状の頭部６１ｂと、により構成されている。軸部６１ａの外径は、接続部５１の内径より大きい。軸部６１ａの長さは、接続部５１の筒状内部の深さよりやや短い。頭部６１ｂは、中心軸が軸部６１ａの中心軸と一致するように形成されている。頭部６１ｂの外径は、接続部５１の外径と略同一となっている。
【００３４】
接続部５１は、ピン部材６１が筒状内部に挿入されることにより径方向の外側に広がるように弾性変形する。接続部５１の外径は、ピン部材６１が挿入される前の状態では、ケース貫通孔２９および基板貫通孔４１の内径に略一致している。そのため、接続部５１の外周面は、接続部５１が径方向の外側に広がるように弾性変形することで、ケース貫通孔２９の内周面および基板貫通孔４１の内周面に圧接される。
【００３５】
ケース貫通孔２９は、接続部５１の外周面がケース貫通孔２９の内周面に圧接されることで、閉塞される。その結果、ケース２０の内外に通じる水分侵入経路は遮断されるため、ケース２０の内部に対する防水性が確保される。
【００３６】
接続部５１は、接続部５１の外周面が基板貫通孔４１の内周面に圧接されることで、基板貫通孔４１の内周面に形成された接続電極４１ａと電気的に接続される。これにより、生体情報検出装置１は、接続部５１が回路基板４０に挿通された状態で、接続部５１を介して回路基板４０と生体信号検出部５０の検出電極５０ａとを電気的に接続することができる。その結果、従来技術と比較して、回路基板４０と生体信号検出部５０との接続構造が厚くなることを防止できる。
【００３７】
このように、本実施形態では、接続部５１は、接続部５１の筒状内部に挿入されたピン部材６１により、径方向の外側に広がるように弾性変形する。これにより、接続部５１の外周面は、ケース貫通孔２９の内周面に対して圧接されて、ケース貫通孔２９と密着するため、ケース２０の内部に対する防水性が確保される。また、接続部５１の外周面は、基板貫通孔４１の内周面に対して圧接されて、基板貫通孔４１の内周面に形成された接続電極４１ａと電気的に接続される。このため、生体情報検出装置１は、接続部５１が回路基板４０に挿通された状態で、接続部５１を介して回路基板４０と生体信号検出部５０の検出電極５０ａとを電気的に接続することができる。したがって、防水性を確保しつつ、小型化が可能な生体情報検出装置を得ることができる。
【００３８】
また、生体信号検出部５０と接続部５１とが一体形成されることで、生体信号検出部５０と接続部５１との電気的接続はより確実になる。そのため、生体信号検出部５０と回路基板４０との電気的接続がより確実になる。さらに、生体信号検出部５０と接続部５１とが一体形成されることで、部品点数が削減される。
【００３９】
（第１実施形態、生体情報検出装置の製造方法）
次に第１実施形態の生体情報検出装置の製造方法について説明する。
図５〜９は、第１実施形態に係る生体情報検出装置１の製造方法を説明する工程図であって、図２のＩＩＩ−ＩＩＩ線に相当する部分における断面図である。
【００４０】
本実施形態の生体情報検出装置１の製造方法は、接続部５１の筒状内部に、ピン状治具７１を挿入する治具挿入工程と、ピン状治具７１が挿入された接続部５１を、ケース貫通孔２９を通じて基板貫通孔４１に挿通する接続部挿通工程と、ピン状治具７１を、接続部５１から抜き取る治具抜取工程と、接続部５１の筒状内部にピン部材６１を挿入し、接続部５１の外周面をケース貫通孔２９の内周面の全周に亘って接触させるとともに、基板貫通孔４１の内周面に接触させるピン部材挿入工程と、を備える。
【００４１】
（治具挿入工程）
まず、治具挿入工程について説明する。図５に示すように、治具挿入工程では、生体信号検出部５０の接続部５１の筒状内部にピン状治具７１を挿入する。
ピン状治具７１は、生体信号検出部５０より硬質な材料により、略円柱状に形成されている。ピン状治具７１の外径は、接続部５１の内径と同等に設定されている。ピン状治具７１の長さは、接続部５１の筒状内部の深さより長く設定されている。このピン状治具７１を、一端部が接続部５１から突出するように接続部５１の筒状内部に挿入する。
【００４２】
（接続部挿通工程）
次に、接続部挿通工程について説明する。図６に示すように、接続部挿通工程では、ピン状治具７１が挿入された接続部５１を、ケース２０のケース貫通孔２９を通じて回路基板４０の基板貫通孔４１に挿通する。
具体的には、まず裏ケース２１にボタン電池１１を収容した後、回路基板４０を載置して締結固定する。この状態において、ケース貫通孔２９と基板貫通孔４１は、平面視において重なっている。次いで、生体信号検出部５０を裏側から表側に向かって近付け、ピン状治具７１が挿入された接続部５１を、ケース貫通孔２９および基板貫通孔４１に挿通する。この際、接続部５１はケース貫通孔２９および基板貫通孔４１の内周面との間に生じる摩擦力を受けながら挿入される。これに対して、本実施形態の接続部挿通工程では、接続部５１には硬質なピン状治具７１が挿入されているため、接続部５１が倒れ込むことなく挿入することができる。
【００４３】
（治具抜取工程）
次に、治具抜取工程について説明する。図７に示すように、治具抜取工程では、ピン状治具７１を接続部５１から抜き取る。
具体的には、接続部５１に挿入されて一端部が突出しているピン状治具７１を、裏ケース２１の表側から表側に向かって抜き取る。これにより、接続部５１がケース貫通孔２９を通じて基板貫通孔４１に挿通された状態になる。
【００４４】
（ピン部材挿入工程）
次に、ピン部材挿入工程について説明する。図８に示すように、ピン部材挿入工程では、接続部５１の筒状内部にピン部材６１を挿入し、接続部５１の外周面をケース貫通孔２９の内周面の全周に亘って接触させるとともに、基板貫通孔４１の内周面に接触させる。
具体的には、ピン部材６１の軸部６１ａを裏側に向けた状態で、ピン部材６１の頭部６１ｂの裏側が接続部５１の表側の先端面に当接するように、軸部６１ａを接続部５１に挿入する。これにより接続部５１は、径方向の外側に広がるように弾性変形し、ケース貫通孔２９の内周面および基板貫通孔４１の内周面に圧接される。
【００４５】
次に、図９に示すように、固定補強板１６を介して生体信号検出部５０をケース２０に対して締結し、固定補強板１６およびケース２０の裏側をカバー１９で覆う。そして、裏ケース２１の表側に表ケース３５を嵌め込み、ケース２０の内部を密封することで、生体情報検出装置１の装置本体２が得られる。
最後に、装置本体２に、固定ベルト３（図１参照）を取り付けることで、生体情報検出装置１が得られる。
【００４６】
このように、本実施形態の製造方法では、接続部５１の筒状内部に予めピン状治具７１を挿入した状態で、ケース貫通孔２９を通じて基板貫通孔４１に挿通する。そのため、接続部５１をケース貫通孔２９および基板貫通孔４１に挿通する際に生じる、接続部５１の倒れ込みを抑制できる。したがって、接続部５１がケース貫通孔２９を通じて基板貫通孔４１に挿通された生体情報検出装置を簡単に製造することができる。
【００４７】
（第１実施形態、第１変形例、生体情報検出装置）
次に第１実施形態の第１変形例に係る生体情報検出装置について説明する。
図１０は、第１実施形態の第１変形例に係る生体情報検出装置の装置本体の説明図であって、図２のＩＩＩ−ＩＩＩ線に相当する部分における断面図である。
【００４８】
図１０に示す第１変形例では、表ケース３５のピン部材６１の表側に抜け防止壁３８を有する点で、図３に示す第１実施形態と異なっている。なお、図３に示す第１実施形態と同様の構成となる部分については、詳細な説明を省略する。
【００４９】
図１０に示すように、表ケース３５は裏面に抜け防止壁３８を有する。抜け防止壁３８は、平面視においてピン部材６１の頭部６１ｂと重なる位置から、長手方向外方の立壁部３７に亘って形成されている。また抜け防止壁３８は、裏面がピン部材６１の頭部６１ｂの表面に近接するように形成されている。
【００５０】
このように、表ケース３５は、ピン部材６１の頭部６１ｂに近接して配置される抜け防止壁３８を有している。これにより、接続部５１に挿入されたピン部材６１は、表側への移動が抜け防止壁３８によって制限されるため、ピン部材６１の抜けを防止できる。
【００５１】
（第２実施形態、生体情報検出装置）
次に第２実施形態に係る生体情報検出装置について説明する。
図１１は、第２実施形態に係る生体情報検出装置の装置本体の説明図であって、図２のＩＩＩ−ＩＩＩ線に相当する部分における断面図である。図１２は、第２実施形態に係る生体情報検出装置のピン部材の側面図である。
【００５２】
図３に示す第１実施形態は、ケース貫通孔２９が表裏方向に一様に形成されているとともに、ピン部材６１の軸部６１ａが一様な略円柱状に形成されている。これに対して、図１１に示す第２実施形態では、ケース貫通孔１２９が表側から裏側に向かって段差２９ａにより拡径形成されているとともに、ピン部材１６１の軸部１６１ａが先端に大径部１６２を有する点で異なっている。
【００５３】
図１１に示すように、ケース貫通孔１２９は、生体信号検出部５０側の端部が段差１２９ａにより拡径形成されている。段差１２９ａは、ケース貫通孔１２９の表裏方向の略中央に形成されている。段差１２９ａを挟んだケース貫通孔１２９の表側および裏側は、それぞれ断面が略円形状で、表裏方向に一様に形成されている。
【００５４】
図１１および図１２に示すように、ピン部材１６１は、軸部１６１ａの裏側の先端に大径部１６２を有する。大径部１６２は、軸部１６１ａと同軸の略円柱形状に形成されている。大径部１６２の外径は、ケース貫通孔１２９の拡径形成された部分の内径よりも小さく形成されている。この大径部１６２は、ピン部材１６１を接続部５１に挿入した状態において、上述したケース貫通孔１２９の拡径形成された部分に対応する位置に形成されている。
【００５５】
図１２に示すように、大径部１６２は、大径部１６２の径方向に沿うように形成されたスリット１６３を有する。スリット１６３は、軸部１６１ａの中心軸を通り、かつ大径部１６２を径方向に分断するように径方向に沿って形成されている。このスリット１６３により、大径部１６２は縮径方向に弾性変形することが可能となっている。なお、スリット１６３は径方向に沿って複数個形成されていてもよい。
【００５６】
このように、ケース貫通孔１２９の生体信号検出部５０側の端部が段差１２９ａにより拡径形成され、かつピン部材１６１の先端に大径部１６２が形成されていることで、大径部１６２が接続部５１を介してケース貫通孔１２９の段差１２９ａに係止される。これにより、ピン部材１６１が接続部５１の筒状内部から抜けることを防止できる。さらに大径部１６２に、ピン部材１６１の径方向に沿うようにスリット１６３が形成されていることで、ピン部材１６１を接続部５１へ挿入する際に、大径部１６２が縮径方向に弾性変形するため、接続部５１の筒状内部への挿入が容易になる。したがって、組み立て作業性に優れ、かつ信頼性の高い生体情報検出装置を得ることができる。
【００５７】
図１３は、第２実施形態に係る生体情報検出装置の他のピン部材の側面図である。
なお、図１３に示すように、大径部１６２にはスリット１６３（図１２参照）に替えて、中空部１６４が形成されていてもよい。大径部１６２は、スリット１６３が形成されている構成と同様に、中空部１６４によって縮径方向に弾性変形することが可能であるため、接続部５１の筒状内部への挿入が容易になる。
【００５８】
また、大径部１６２には、スリット１６３や中空部１６４が形成されていなくてもよい。この構成によれば、大径部１６２は、縮径方向に弾性変形不能となるので、接続部５１の筒状内部からより抜けにくいピン部材１６１を得ることができる。
【００５９】
なお、本発明は、図面を参照して説明した上述の実施形態に限定されるものではなく、その技術的範囲において様々な変形例が考えられる。
例えば、上記実施形態においては、生体情報検出装置１として心拍計測装置を例に挙げて説明したが、この場合に限定されるものではない。例えば、血圧や体温、筋電位を計測する装置に上述した構成を適用することができる。
【００６０】
その他、本発明の趣旨を逸脱しない範囲で、上記した実施の形態における構成要素を周知の構成要素に置き換えることは適宜可能である。
【符号の説明】
【００６１】
１…生体情報検出装置  ２０…ケース  ２９，１２９…ケース貫通孔  ４０…回路基板  ４１…基板貫通孔  ４１ａ…接続電極  ５０…生体信号検出部  ５０ａ…検出電極  ５１…接続部  ６１，１６１…ピン部材  ７１…ピン状治具  １６２…大径部  １６３…スリット
【図１】
2016007447.tif 000003
【図２】
2016007447.tif 000004
【図３】
2016007447.tif 000005
【図４】
2016007447.tif 000006
【図５】
2016007447.tif 000007
【図６】
2016007447.tif 000008
【図７】
2016007447.tif 000009
【図８】
2016007447.tif 000010
【図９】
2016007447.tif 000011
【図１０】
2016007447.tif 000012
【図１１】
2016007447.tif 000013
【図１２】
2016007447.tif 000014
【図１３】
2016007447.tif 000015